(57)【要約】  アノードガス及びカソードガスを燃料電池に供給して発電させる燃料電池システムは、燃料電池にカソードガスを供給するカソードガス供給部と、燃料電池に供給するカソードガスの圧力を検出するカソード圧検出部と、燃料電池の温度を検出する燃料電池温度検出部と、燃料電池の内部抵抗を検出する内部抵抗検出部と、燃料電池システムの運転状態に基づいて、燃料電池に供給する必要のある目標カソード流量を算出する目標カソード流量算出手段と、カソードガスの圧力、燃料電池の温度及び燃料電池の内部抵抗に応じて、カソードガスの流量を推定するカソード流量推定手段と、目標カソード流量と推定したカソードガスの流量とに基づいて、カソードガス供給部を制御するカソード流量制御部と、を備える。
2013105590.tif 000002
【特許請求の範囲】
【請求項１】
アノードガス及びカソードガスを燃料電池に供給して発電させる燃料電池システムであって、
前記燃料電池にカソードガスを供給するカソードガス供給部と、
前記燃料電池に供給する前記カソードガスの圧力を検出するカソード圧検出部と、
前記燃料電池の温度を検出する燃料電池温度検出部と、
前記燃料電池の内部抵抗を検出する内部抵抗検出部と、
前記燃料電池システムの運転状態に基づいて、前記燃料電池に供給する必要のある目標カソード流量を算出する目標カソード流量算出部と、
前記カソードガスの圧力、前記燃料電池の温度及び前記燃料電池の内部抵抗に応じて、前記カソードガスの流量を推定するカソード流量推定部と、
前記目標カソード流量と前記推定した前記カソードガスの流量とに基づいて、前記カソードガス供給部を制御するカソード流量制御部と、
を備える燃料電池システム。
【請求項２】
前記カソード流量推定部は、
前記燃料電池の内部抵抗が高いときほど、前記カソードガスの流量の推定値を大きくする、
請求項１に記載の燃料電池システム。
【請求項３】
前記カソード流量推定部は、
前記カソードガスの圧力が高いときほど、前記カソードガスの流量の推定値を大きくする、
請求項１又は請求項２に記載の燃料電池システム。
【請求項４】
前記カソード流量推定部は、
前記燃料電池の温度が低いときほど、前記カソードガスの流量の推定値を大きくする、
請求項１から請求項３までのいずれか１つに記載の燃料電池システム。
【請求項５】
前記カソード流量推定部は、
大気湿度が前記燃料電池を使用する外部環境における最低値であると仮定して、前記カソードガスの流量を推定する、
請求項１から請求項４までのいずれか１つに記載の燃料電池システム。
【請求項６】
大気湿度を検出する大気湿度検出部を備え、
前記カソード流量推定部は、
前記カソードガスの圧力、前記燃料電池の温度及び前記燃料電池の内部抵抗に応じて推定したカソードガスの流量の推定値を、前記大気湿度が高いときほど大きくなるように補正する、
請求項１から請求項４までのいずれか１つに記載の燃料電池システム。
【請求項７】
前記燃料電池の内部抵抗を所定の目標内部抵抗に制御する内部抵抗制御部を備え、
前記内部抵抗制御部は、
推定した前記カソードガスの流量と前記目標カソード流量とが等しい場合に、前記燃料電池の内部抵抗が前記目標内部抵抗よりも高いときは、前記カソードガスの圧力を高くすることで、前記燃料電池の内部抵抗を所定の目標内部抵抗に制御する、
請求項１から請求項６までのいずれか１つに記載の燃料電池システム。
【請求項８】
前記燃料電池の内部抵抗を所定の目標内部抵抗に制御する内部抵抗制御部を備え、
前記内部抵抗制御部は、
推定した前記カソードガスの流量と前記目標カソード流量とが等しい場合に、前記燃料電池の内部抵抗が前記目標内部抵抗よりも高いときは、前記燃料電池の温度を低くすることで、前記燃料電池の内部抵抗を所定の目標内部抵抗に制御する、
請求項１から請求項６までのいずれか１つに記載の燃料電池システム。
【請求項９】
前記カソード流量推定部は、
前記燃料電池の内部抵抗が所定値よりも高いときに、前記カソードガスの圧力、前記燃料電池の温度及び前記燃料電池の内部抵抗に応じて、前記カソードガスの流量を推定し、
前記燃料電池の内部抵抗が前記所定値よりも低いときは、前記燃料電池にカソードガスを圧送するコンプレッサの回転速度と前後差圧とに基づいて、前記カソードガスの流量を推定する、
請求項１から請求項８までのいずれか１つに記載の燃料電池システム。
【請求項１０】
前記目標カソード流量算出部は、
前記燃料電池の内部抵抗が高いときほど、前記最低カソード流量が高くなるように補正する、
請求項１から請求項７までのいずれか１つに記載の燃料電池システム。
【請求項１１】
前記燃料電池に供給する前記カソードガスの流量を検出するカソード流量検出部を備え、
前記カソード流量制御部は、
前記カソードガスの流量が所定量より低いときに、前記目標カソード流量と前記推定した前記カソードガスの流量とに基づいて前記カソードガス供給部を制御する、
請求項１から請求項１０までのいずれか１つに記載の燃料電池システム。
【発明の詳細な説明】
【技術分野】
【０００１】
本発明は燃料電池システムに関する。
【背景技術】
【０００２】
ＪＰ２００６−２８６４３６Ａには、従来の燃料電池システムとして、燃料電池に供給するカソードガスの流量や圧力を制御することで、電解質膜の湿潤状態を所望の湿潤状態に制御するものがある。
【発明の概要】
【０００３】
燃料電池システムにおいては、燃料電池の出力電力が目標出力電力となるように、また、フラッディングを防止するために、燃料電池に供給するカソードガスの流量を要求に応じて精度良く制御する必要がある。しかしながら、前述した従来の燃料電池システムでは、カソードガスの流量を検出するエアフローセンサのばらつきによって、カソードガスの流量を制御する際の精度が悪く、カソードガスの流量を目標値に精度良く制御できなかった。
【０００４】
そうすると、例えば、燃料電池に供給されるカソードガスの流量が、燃料電池の出力電力を目標出力電力にするために必要な流量よりも少なくなると電圧落ちが生じるため、安全のために流量の目標値を必要以上に大きくする必要があるので、カソードコンプレッサの消費電力が増加して燃費が悪化する。
【０００５】
また、燃料電池に供給されるカソードガスの流量が、フラッデジングを防止するために必要な流量よりも少なくなったときも電圧落ちが生じるため、上記の同様の理由によって燃費が悪化する。
【０００６】
本発明はこのような問題点に着目してなされたものであり、カソードガス流量を精度良く推定できる燃料電池システムを提供することを目的とする。
【課題を解決するための手段】
【０００７】
本発明のある態様によれば、燃料電池にカソードガスを供給するカソードガス供給部と、燃料電池に供給するカソードガスの圧力を検出するカソード圧検出部と、燃料電池の温度を検出する燃料電池温度検出部と、燃料電池の内部抵抗を検出する内部抵抗検出部と、燃料電池システムの運転状態に基づいて、燃料電池に供給する必要のある目標カソード流量を算出する目標カソード流量算出部と、カソードガスの圧力、燃料電池の温度及び燃料電池の内部抵抗に応じて、カソードガスの流量を推定するカソード流量推定部と、目標カソード流量と推定したカソードガスの流量とに基づいて、カソードガス供給部を制御するカソード流量制御部と、を備える燃料電池システムが提供される。【０００８】
本発明の実施形態、本発明の利点については、添付された図面を参照しながら以下に詳細に説明する。
【図面の簡単な説明】
【０００９】
【図１】図１は、本発明の第１実施形態による燃料電池システムの概略図である。
【図２】図２は、燃料電池スタックの内部抵抗をある一定の値に維持するために必要なカソード流量を、カソードガスのスタック入口湿度ＲＨｃに応じて示した図である。
【図３】図３は、カソード圧、スタック温度及び大気湿度のそれぞれがある一定の値を示しているときのカソード流量を、カソードガスのスタック入口湿度ＲＨｃに応じて示した図である。
【図４】図４は、カソード圧、スタック温度及び内部抵抗に基づいて、カソード流量を推定する方法について説明する図である。
【図５】図５は、実内部抵抗が目標内部抵抗よりも大きいときの電解質膜の湿潤制御について説明する図である。
【図６】図６は、実内部抵抗が目標内部抵抗よりも大きいときの電解質膜の湿潤制御について説明する図である。
【図７】図７は、電解質膜の湿潤状態と内部抵抗との関係を示した図である。
【図８】図８は、カソードコンプレッサの回転速度とカソードコンプレッサの前後差圧とに基づいてカソード流量を推定するマップである。
【図９】図９は、実内部抵抗が目標内部抵抗よりも小さいときの電解質膜の湿潤制御について説明する図である。
【図１０】図１０は、実内部抵抗が目標内部抵抗よりも小さいときの電解質膜の湿潤制御について説明する図である。
【図１１】図１１は、本発明の第１実施形態による電解質膜の湿潤制御制御について説明するフローチャートである。
【図１２】図１２は、電解質膜の湿潤制御処理について説明するフローチャートである。
【図１３】図１３は、本発明の第２実施形態によるカソードコンプレッサの制御について説明するフローチャートである。
【発明を実施するための形態】
【００１０】
（第１実施形態）
燃料電池は電解質膜をアノード電極（燃料極）とカソード電極（酸化剤極）とによって挟み、アノード電極に水素を含有するアノードガス（燃料ガス）、カソード電極に酸素を含有するカソードガス（酸化剤ガス）を供給することによって発電する。アノード電極及びカソード電極の両電極において進行する電極反応は以下の通りである。
【００１１】
アノード電極  ：    ２Ｈ2 →４Ｈ+ ＋４ｅ-             …(１)
カソード電極  ：    ４Ｈ+ ＋４ｅ- ＋Ｏ2 →２Ｈ2Ｏ     …(２)
【００１２】
この（１）（２）の電極反応によって燃料電池は１ボルト程度の起電力を生じる。
【００１３】
このような燃料電池を自動車用動力源として使用する場合には、要求される電力が大きいため、数百枚の燃料電池を積層した燃料電池スタックとして使用する。そして、燃料電池スタックにアノードガス及びカソードガスを供給する燃料電池システムを構成して、車両駆動用の電力を取り出す。
【００１４】
図１は、本発明の一実施形態による燃料電池システム１００の概略図である。
【００１５】
燃料電池システム１００は、燃料電池スタック１と、アノードガス給排装置２と、カソードガス給排装置３と、スタック冷却装置４と、コントローラ５と、を備える。
【００１６】
燃料電池スタック１は、複数枚の燃料電池を積層したものであり、アノードガス及びカソードガスの供給を受けて発電し、発電した電力を、車両を駆動するために必要なモータ（図示せず）などの各種の電装部品に供給する。
【００１７】
アノードガス給排装置２は、高圧タンク２１と、アノードガス供給通路２２と、アノード調圧弁２３と、アノードガス排出通路２４と、アノードガス還流通路２５と、リサイクルコンプレッサ２６と、排出弁２７と、を備える。
【００１８】
高圧タンク２１は、燃料電池スタック１に供給するアノードガスを高圧状態に保って貯蔵する。
【００１９】
アノードガス供給通路２２は、燃料電池スタック１に供給するアノードガスが流れる通路であって、一端が高圧タンク２１に接続され、他端が燃料電池スタック１のアノードガス入口孔１１に接続される。
【００２０】
アノード調圧弁２３は、アノードガス供給通路２２に設けられる。アノード調圧弁２３は、コントローラ５によって開閉制御され、高圧タンク２１からアノードガス供給通路２２に流れ出したアノードガスの圧力を所望の圧力に調節する。
【００２１】
アノードガス排出通路２４は、燃料電池スタック１から排出されたアノードオフガスが流れる通路であって、一端が燃料電池スタック１１のアノードガス出口孔１２に接続され、他端が開口端となっている。アノードオフガスは、電極反応で使用されなかった余剰のアノードガスと、カソード側からリークしてきた窒素などの不活性ガスと、の混合ガスである。
【００２２】
アノードガス還流通路２５は、アノードガス排出通路２４に排出されたアノードオフガスを、アノードガス供給通路２２に戻すための通路である。アノードガス還流通路２５は、一端が排出弁２７よりも上流側のアノードガス排出通路２４に接続され、他端がアノード調圧弁２３よりも下流側のアノードガス供給通路２２に接続される。
【００２３】
リサイクルコンプレッサ２６は、アノードガス還流通路２５に設けられる。リサイクルコンプレッサ２６は、アノードガス排出通路２４に排出されたアノードオフガスを、アノードガス供給通路２２に戻す。
【００２４】
排出弁２７は、アノードガス排出通路２４とアノードガス還流通路２５との接続部よりも下流側のアノードガス排出通路２４に設けられる。排出弁２７は、コントローラ５によって開閉制御され、アノードオフガスや凝縮水を燃料電池システム１００の外部へ排出する。
【００２５】
カソードガス給排装置３は、カソードガス供給通路３１と、カソードガス排出通路３２と、フィルタ３３と、カソードコンプレッサ３４と、エアフローセンサ３５と、水分回収装置（Water Recovery Device；以下「ＷＲＤ」という。）３６と、カソード調圧弁３７と、第１圧力センサ３８と、第２圧力センサ３９と、を備える。
【００２６】
カソードガス供給通路３１は、燃料電池スタック１に供給するカソードガスが流れる通路である。カソードガス供給通路３１は、一端がフィルタ３３に接続され、他端が燃料電池スタック１のカソードガス入口孔１３に接続される。
【００２７】
カソードガス排出通路３２は、燃料電池スタック１から排出されるカソードオフガスが流れる通路である。カソードガス排出通路３２は、一端が燃料電池スタック１のカソードガス出口孔１４に接続され、他端が開口端となっている。カソードオフガスは、カソードガスと、電極反応によって生じた水蒸気と、の混合ガスである。
【００２８】
フィルタ３３は、カソードガス供給通路３１に取り込むカソードガス中の異物を取り除く。
【００２９】
カソードコンプレッサ３４は、カソードガス供給通路３１に設けられる。カソードコンプレッサ３４は、フィルタ３３を介してカソードガスとしての空気（外気）をカソードガス供給通路３１に取り込み、燃料電池スタック１に供給する。
【００３０】
エアフローセンサ３５は、カソードコンプレッサ３４よりも下流のカソードガス供給通路３１に設けられる。エアフローセンサ３５は、カソードガス供給通路３１を流れるカソードガスの流量（以下「カソード流量」という。）を検出する。
【００３１】
ＷＲＤ３６は、カソードオフガス中の水分を回収し、その回収した水分でカソードガスを加湿する装置であって、加湿部３６１と除湿部３６２とを備える。
【００３２】
加湿部３６１は、エアフローセンサ３５よりも下流のカソードガス供給通路３１に設けられる。加湿部３６１は、燃料電池スタック１に供給されるカソードガスを加湿する。
【００３３】
除湿部３６２は、カソードガス排出通路３２に設けられる。除湿部３６２は、カソードガス排出通路３２を流れるカソードオフガスを除湿し、回収した水蒸気を加湿部３６１に供給する。
【００３４】
カソード調圧弁３７は、ＷＲＤ３６の除湿部３６２よりも下流のカソードガス排出通路３２に設けられる。カソード調圧弁３７は、コントローラ５によって開閉制御され、燃料電池スタック１に供給されるカソードガスの圧力（カソード圧）を所望の圧力に調節する。
【００３５】
第１圧力センサ３８は、カソードコンプレッサ３４よりも上流のカソード供給通路３１に設けられ、カソードガスの圧力を検出する。
【００３６】
第２圧力センサ３９は、ＷＲＤ３６の加湿部３６１よりも下流のカソードガス供給通路３１に設けられる。圧力センサ３９は、燃料電池スタック１に供給されるカソードガスの圧力（以下「カソード圧」という。）を検出する。
【００３７】
スタック冷却装置４は、燃料電池スタック１を冷却し、燃料電池スタック１を発電に適した温度に保つ装置である。スタック冷却装置４は、冷却水循環通路４１と、ラジエータ４２と、バイパス通路４３と、三方弁４４と、冷却水循環ポンプ４５と、水温センサ４６と、を備える。
【００３８】
冷却水循環通路４１は、燃料電池スタック１１を冷却するための冷却水が循環する通路である。
【００３９】
ラジエータ４２は、冷却水循環通路４１に設けられる。ラジエータ４２は、燃料電池スタック１から排出された冷却水を冷却する。
【００４０】
バイパス通路４３は、ラジエータ４２をバイパスさせて冷却水を循環させることができるように、一端が冷却水循環通路４１に接続され、他端が三方弁４４に接続される。
【００４１】
三方弁４４は、ラジエータ４２よりも下流側の冷却水循環通路４１に設けられる。三方弁４４は、冷却水の温度に応じて冷却水の循環経路を切り替える。具体的には、冷却水の温度が相対的に高いときは、燃料電池スタック１から排出された冷却水が、ラジエータ４２を介して再び燃料電池スタック１に供給されるように冷却水の循環経路を切り替える。逆に、冷却水の温度が相対的に低いときは、燃料電池スタック１から排出された冷却水から排出された冷却水が、ラジエータ４２を介さずにバイパス通路４３を流れて再び燃料電池スタック１に供給されるように冷却水の循環経路を切り替える。
【００４２】
冷却水循環ポンプ４５は、三方弁４４よりも下流側の冷却水循環通路４１に設けられて、冷却水を循環させる。
【００４３】
水温センサ４６は、ラジエータ４２よりも上流側の冷却水循環通路４１に設けられる。水温センサ４６は、燃料電池スタック１から排出された冷却水の温度（以下「スタック温度」という。）を検出する。
【００４４】
コントローラ５は、中央演算装置（ＣＰＵ）、読み出し専用メモリ（ＲＯＭ）、ランダムアクセスメモリ（ＲＡＭ）及び入出力インタフェース（Ｉ／Ｏインタフェース）を備えたマイクロコンピュータで構成される。コントローラ５には、前述したエアフローセンサ３５、第１圧力センサ３８、第２圧力センサ３９及び水温センサ４６の他にも、燃料電池スタック１の出力電流を検出する電流センサ５１や、燃料電池スタック１の出力電圧を検出する電圧センサ５２、アクセルペダルの踏込量を検出するアクセルストロークセンサ５３などの燃料電池システム１００を制御するために必要な各種センサからの信号が入力される。
【００４５】
コントローラ５は、これら各種センサの検出信号に基づいて、車両を駆動するために必要な電力（以下「要求出力電力」という。）を算出する。
【００４６】
また、コントローラ５は、燃料電池スタック１を効率良く発電させるために、燃料電池スタック１を構成する各燃料電池の電解質膜が適度に加湿された所定の湿潤状態となるように、カソード流量、カソード圧及びスタック温度を制御して燃料電池スタック１の内部水分量を制御する。
【００４７】
電解質膜の湿潤状態は、燃料電池スタック１の内部高周波抵抗（ＨＦＲ；High Frequency Resistance）（以下「内部抵抗」という。）と相関関係にあることが知られており、燃料電池スタック１の内部水分量が少なく電解質膜が乾燥している場合には、内部抵抗が大きくなり燃料電池スタック１の出力電圧が低下する。一方、燃料電池スタック１の内部水分量が過剰である場合には、燃料電池スタック１の電極が水分で覆われてしまうため、アノードガス及びカソードガスの拡散が阻害され、出力電圧が低下する。したがって、コントローラ５は、燃料電池スタック１の内部抵抗が予め定められた所定の目標内部抵抗となるように、カソード流量、カソード圧及びスタック温度を制御して燃料電池スタック１の内部水分量を制御している。
【００４８】
ここで、燃料電池システム１００の燃費を向上させるためには、できるだけカソード流量を少なくしてカソードコンプレッサ３４を低回転で運転させることが望ましい。
【００４９】
しかしながら、カソード流量に関しては、少なくとも燃料電池スタック１の出力電力を要求出力電力にするために最低限必要な流量（以下「最低カソード流量」という。）を下回らないようにする必要がある。したがって、燃料電池スタック１の内部抵抗を目標内部抵抗へと収束させるときに、カソード流量を最低カソード流量まで下げた後、カソード圧やスタック温度を制御しなければならない状況になることがある。
【００５０】
ところが、エアフローセンサ３５によるカソード流量の検出精度は、カソード流量が少なくなるほど低下する傾向にあるため、カソード流量を最低カソード流量まで下げるときに、実際にはカソード流量を最低カソード流量まで下げることができなかった。つまり、最低カソード流量に対して十分にマージンを加えた流量までしかカソード流量を下げることができず、燃費が悪化するという問題点があった。
【００５１】
そこで本実施形態では、カソード流量を精度良く推定し、推定したカソード流量が最低カソード流量を下回らないようにカソードコンプレッサ３４を制御しつつ、必要に応じて内部抵抗を目標内部抵抗にするためにカソード圧及びスタック温度を制御する。
【００５２】
以下では、図２から図４を参照して、本実施形態によるカソード流量の推定方法について説明する。
【００５３】
図２は、燃料電池スタック１の内部抵抗をある一定の値に維持するために必要なカソード流量を、カソードガスのスタック入口湿度に応じて示した図である。
【００５４】
図２に示すように、内部抵抗をある一定の値に維持するために必要なカソード流量は、カソードガスのスタック入口湿度が高くなるほど多くなる。また、カソードガスのスタック入口湿度が同じ場合は、内部抵抗を高い値に維持するときのほうが必要なカソード流量が多くなる。
【００５５】
これは、カソードガスのスタック入口湿度が高くなるほど電解質膜を湿らせることになるためであり、内部抵抗を一定の値に維持するためには、スタック入口湿度が高くになるにつれてその分カソード流量を増加させて電解質膜を乾燥させる必要があるためである。
【００５６】
図３は、カソード圧、スタック温度及び大気湿度のそれぞれがある一定の値を示しているときのカソード流量を、カソードガスのスタック入口湿度に応じて示した図である。
【００５７】
図３に示すように、カソード流量が少なくなるほど、カソードガスのスタック入口湿度は高くなる。また、カソード流量が同じ場合は、カソード圧が高いときほど、スタック温度が低いときほど、また、大気湿度が高いときほど、カソードガスのスタック入口湿度は高くなる。つまり、カソード圧、スタック温度及び大気湿度の各パラメータが燃料電池スタック１の内部水分量を増加させる方向に変化するほど、カソードガスのスタック入口湿度は高くなる。
【００５８】
これは、カソードオフガス中の水分によって燃料電池スタック１に供給するカソードガスを加湿するというＷＲＤ３６の特性によるものである。
【００５９】
図４は、カソード圧、スタック温度及び内部抵抗に基づいて、カソード流量を推定する方法について説明する図である。
【００６０】
本実施形態では、カソード圧、スタック温度及び内部抵抗のそれぞれを検出しているが、大気湿度については検出していない。
【００６１】
ここで、内部抵抗が分かれば、予め実験等で前述した図２の関係を求めておくことで、図４に示す実線Ａ１を描くことができる。実線Ａ１は、検出した現在の内部抵抗（以下「実内部抵抗」という。）から推定されるカソード流量を、カソードガスのスタック入口湿度に応じて示した線である。
【００６２】
また、カソード圧及びスタック温度が分かれば、大気湿度が分からなくても、予め実験等で前述した図３の関係を求めておくことで、図４に示す大気湿度が０％と仮定したときの実線Ｂ１と、大気湿度が１００％と仮定したときの実線Ｂ２と、を描くことができる。
【００６３】
実線Ｂ１は、大気湿度が０％と仮定したときに、検出したカソード圧とスタック温度とから推定されるカソード流量を、カソードガスのスタック入口湿度に応じて示した線である。実線Ｂ２は、大気湿度が１００％と仮定したときに、検出したカソード圧とスタック温度とから推定されるカソード流量を、カソードガスのスタック入口湿度に応じて示した線である。
【００６４】
そうすると、実際のカソード流量（以下「実カソード流量」という。）は、少なくとも実線Ａ１と実線Ｂ１との交点Ｃ１におけるカソード流量（以下「実カソード流量下限値」という。）と、実線Ａ１と実線Ｂ２との交点Ｃ２におけるカソード流量（以下「実カソード流量上限値」という。）と、の間にあると推定することができる。
【００６５】
したがって、実カソード流量下限値が最低カソード流量を下回らないようにカソードコンプレッサ３４を制御すれば、少なくとも実カソード流量が最低カソード流量を下回ることはない。
【００６６】
そこで本実施形態では、基本的に実カソード流量下限値をカソード流量の推定値とし、実カソード流量下限値が最低カソード流量を下回らないようにカソードコンプレッサ３４を制御しつつ、必要に応じて内部抵抗を目標内部抵抗にするためにカソード圧及びスタック温度を制御する。
【００６７】
次に、図５から図９を参照して、内部抵抗を目標内部抵抗にする電解質膜の湿潤制御について説明する。
【００６８】
図５及び図６は、実内部抵抗が目標内部抵抗よりも大きいときの電解質膜の湿潤制御について説明する図である。
【００６９】
図５及び図６において、実線Ａ２は、内部抵抗を目標内部抵抗に維持するために必要なカソード流量をカソードガスのスタック入口湿度に応じて示した線である。なお、実線Ａ１は、図４と同様に、検出した現在の内部抵抗（以下「実内部抵抗」という。）から推定されるカソード流量を、カソードガスのスタック入口湿度に応じて示した線である。実線Ｂ１は、図４と同様に、大気湿度が０％と仮定したときに、検出したカソード圧とスタック温度とから推定されるカソード流量を、カソードガスのスタック入口湿度に応じて示した線である。
【００７０】
図５に示すように、実内部抵抗が目標内部抵抗よりも高く、実線Ａ２と実線Ｂ１との交点Ｃ３におけるカソード流量（以下「目標カソード流量下限値」という。）が最低カソード流量以上のときは、実カソード流量下限値と目標カソード流量下限値との差分量だけカソード流量が減少するようにカソードコンプレッサ３４を制御することで、実内部抵抗を目標内部抵抗に収束させることができる。
【００７１】
しかしながら、図６に示すように、目標カソード流量下限値が最低カソード流量よりも小さいときは、カソード流量を目標カソード流量下限値まで減少させることができず、最低カソード流量までしか減少させることができない。目標カソード流量下限値が最低カソード流量よりも小さいときにカソード流量を目標カソード流量下限値まで減少させると、出力電力が要求出力電力を下回ってしまうからである。
【００７２】
そこでこのような場合には、実カソード流量下限値と最低カソード流量との差分量だけソード流量が減少するようにカソードコンプレッサ３４を制御した後、カソード圧及びスタック温度の一方又は双方を制御することで、内部抵抗を目標内部抵抗へと収束させる。具体的には、カソード圧を高くし、又はスタック温度を下げることで実線Ｂ１を実線Ｂ１’まで移動させ、内部抵抗を目標内部抵抗へと収束させる。実線Ｂ１’は、実線Ａ２との交点Ｃ４におけるカソード流量が最低カソード流量となる線である。
【００７３】
続いて、図７から図１０を参照して、実内部抵抗が目標内部抵抗よりも小さいときの電解質膜の湿潤制御について説明する。
【００７４】
図７は、電解質膜の湿潤状態と内部抵抗との関係を示した図である。
【００７５】
図７に示すように、燃料電池スタック１の内部抵抗は、電解質膜の湿潤状態によって変化し、電解質膜が乾いた状態のときほど高くなる。そして、電解質膜の湿潤度が低いとき、すなわち電解質膜が相対的に乾燥しているときのほうが、電解質膜の湿潤状態の変化に対応して変化する内部抵抗の変化幅が大きくなる。逆に、電解質膜の湿潤度が高い場合、すなわち電解質膜が相対的に湿っている場合は、電解質膜の湿潤状態が変化したときの内部抵抗の変化幅が小さくなる。
【００７６】
そのため、電解質膜が相対的に湿っていて、実内部抵抗が小さいときにカソード圧、スタック温度及び実内部抵抗に基づいてカソード流量を推定すると、その推定精度が低下するおそれがある。
【００７７】
そこで本実施形態では、実内部抵抗が目標内部抵抗よりも小さいときは、例外的に図８のマップを参照し、カソードコンプレッサ３４の回転速度とカソードコンプレッサ３４の前後差圧とに基づいてカソード流量を推定する。
【００７８】
図８は、カソードコンプレッサ３４の回転速度とカソードコンプレッサ３４の前後差圧とに基づいてカソード流量を推定するマップである。
【００７９】
図８に示すように、カソードコンプレッサ３４の回転速度が高くなるほど、また、カソードコンプレッサ３４の前後差圧が大きくなるほど、カソード流量推定値は大きくなる。
【００８０】
図９及び図１０は、実内部抵抗が目標内部抵抗よりも小さいときの電解質膜の湿潤制御について説明する図である。
【００８１】
図９及び図１０において、実線Ａ２は図５と同様に、内部抵抗を目標内部抵抗に維持するために必要なカソード流量をカソードガスのスタック入口湿度に応じて示した線である、実線Ｂ１は図４と同様に、大気湿度が０％と仮定したときに、検出したカソード圧とスタック温度とから推定されるカソード流量を、カソードガスのスタック入口湿度に応じて示した線である。
【００８２】
図９に示すように、最低カソード流量が目標カソード流量下限値よりも大きいときは、最低カソード流量と、カソードコンプレッサ３４の回転速度と前後差圧とに基づいて推定したカソード流量の推定値（以下「カソード流量推定値」という。）と、の差分量だけカソード流量が増加するように、カソードコンプレッサ３４を制御する。その後、カソード圧を高くし、又はスタック温度を下げることで実線Ｂ１を実線Ｂ１’まで移動させ、内部抵抗を目標内部抵抗へと収束させる。
【００８３】
一方、図１０に示すように、最低カソード流量が目標カソード流量下限値よりも小さいときは、最低カソード流量と、カソード流量推定値と、の差分量だけカソード流量が増加するようにカソードコンプレッサ３４を制御する。その後、カソード圧を低くし、又はスタック温度を上げることで実線Ｂ１を実線Ｂ１’まで移動させ、内部抵抗を目標内部抵抗へと収束させる。
【００８４】
以下、本実施形態による電解質膜の湿潤制御について説明する。
【００８５】
図１１は、本実施形態による電解質膜の湿潤制御について説明するフローチャートである。
【００８６】
ステップＳ１において、コントローラ５は、各種センサの検出信号を読み込み、燃料電池システム１００の運転状態を検出する。
【００８７】
ステップＳ２において、コントローラ５は、燃料電池システム１００の運転状態に基づいて、要求出力電力を算出する。
【００８８】
ステップＳ３において、コントローラ５は、要求出力電力に基づいて、最低カソード流量を算出する。最低カソード流量は、要求出力電力が小さくなるほど少なくなる。
【００８９】
ステップＳ４において、コントローラ５は、燃料電池スタック１の実内部抵抗を検出する。具体的には、例えばＤＣ／ＤＣコンバータ（図示せず）などを制御して燃料電池スタック１の出力電流に交流電流を重畳し、そのときの燃料電池スタック１１の電圧値を電圧センサによって検出する。そして、その電圧値に基づいて重畳した交流電流の電圧振幅を演算し、その電圧振幅を重畳した交流電流の電流振幅で割ることで燃料電池の内部抵抗を演算する。
【００９０】
ステップＳ５において、コントローラ５は、カソード圧、スタック温度及び実内部抵抗に基づいて、実カソード流量下限値を算出する。
【００９１】
ステップＳ６において、コントローラ５は、カソード圧、スタック温度及び予め設定されている所定の目標内部抵抗に基づいて、目標カソード流量下限値を算出する。
【００９２】
ステップＳ７において、コントローラ５は、実内部抵抗と目標内部抵抗とが等しいかを判定する。具体的には、実内部抵抗と目標内部抵抗との差分の絶対値が所定値以内であれば、実内部抵抗と目標内部抵抗とが等しいと判定する。コントローラ５は、実内部抵抗と目標内部抵抗とが等しければ、今回の処理を終了する。一方で、実内部抵抗と目標内部抵抗とが等しくなければ、ステップＳ８の処理を行う。
【００９３】
ステップＳ８において、コントローラ５は、電解質膜の湿潤制御処理を実施する。電解質膜の湿潤制御処理の詳細については、図１２を参照して後述する。
【００９４】
図１２は、電解質膜の湿潤制御処理について説明するフローチャートである。
【００９５】
ステップＳ８１において、コントローラ５は、実内部抵抗が目標内部抵抗よりも大きいか否かを判定する。コントローラ５は、実内部抵抗が目標内部抵抗よりも大きければステップＳ８２の処理を行う。一方で、実内部抵抗が目標内部抵抗よりも小さければステップＳ８６の処理を行う。
【００９６】
ステップＳ８２において、コントローラ５は、目標カソード流量下限値が最低カソード流量以上か否かを判定する。コントローラ５は、目標カソード流量下限値が最低カソード流量以上であれば、ステップＳ８３の処理を行う。一方で、目標カソード流量下限値が最低カソード流量より小さければ、ステップＳ８４の処理を行う。
【００９７】
ステップＳ８３において、コントローラ５は、実カソード流量下限値と目標カソード流量下限値との差分量だけカソード流量が減少するように、カソードコンプレッサ３４を制御する。これにより、内部抵抗を目標内部抵抗へと収束させる（図５参照）。
【００９８】
ステップＳ８４において、コントローラ５は、実カソード流量下限値と最低カソード流量との差分量だけカソード流量が減少するように、カソードコンプレッサ３４を制御する（図６参照）。
【００９９】
ステップＳ８５において、コントローラ５は、内部抵抗が目標内部抵抗となるように、カソード圧及びスタック温度の一方又は双方を制御する。具体的には、カソード圧を制御する場合にはカソード圧を高くし、スタック温度を制御するときはスタック温度を低くする。これにより、内部抵抗を目標内部抵抗へと収束させる（図６参照）。
【０１００】
ステップＳ８６において、コントローラ５は、図９のマップを参照し、カソードコンプレッサ３４の回転速度と、カソードコンプレッサ３４の前後差圧と、に基づいてカソード流量推定値を算出する。
【０１０１】
ステップＳ８７において、コントローラ５は、最低カソード流量とカソード流量推定値との差分量だけカソード流量が増加するように、カソードコンプレッサ３４を制御する（図８及び図９参照）。
【０１０２】
ステップＳ８８において、コントローラ５は、最低カソード流量が目標カソード流量下限値よりも大きいか否かを判定する。コントローラ５は、最低カソード流量が目標カソード流量下限値よりも大きければ、ステップＳ８９の処理を行う。一方で、最低カソードガス流量が目標カソード流量よりも小さければ、ステップＳ９０の処理を行う。
【０１０３】
ステップＳ８９において、コントローラ５は、内部抵抗が目標内部抵抗となるように、カソード圧及びスタック温度の一方又は双方を制御する。具体的には、カソード圧を制御する場合にはカソード圧を高くし、スタック温度を制御するときはスタック温度を低くする（図８参照）。
【０１０４】
ステップＳ９０において、コントローラ５は、内部抵抗が目標内部抵抗となるように、カソード圧及びスタック温度の一方又は双方を制御する。具体的には、カソード圧を制御する場合にはカソード圧を低くし、スタック温度を制御するときはスタック温度を高くする（図９参照）。
【０１０５】
以下、本実施形態による作用効果について説明する。
【０１０６】
エアフローセンサ３５で検出したカソード流量が最低カソード流量を下回らないように制御する場合には、エアフローセンサ３５の検出精度の影響で最低カソード流量に対して十分なマージンを加えた流量までしかカソード流量を下げることができなかった。
【０１０７】
これに対して本実施形態によれば、カソード圧、スタック温度及び内部抵抗に基づいて、現在のカソード流量として考えられる流量のうち最低値を取るもの、すなわち実カソード流量下限値を算出し、それをカソード流量の推定値とすることとした。
【０１０８】
これにより、カソード流量を精度良く推定することができるので、エアフローセンサ３５で検出したカソード流量が最低カソード流量を下回らないように制御する場合と比較して、カソード流量をより最低カソード流量に近いところまで下げることができる。よって、カソードコンプレッサ３４を低回転で運転させることができるので、燃料電池システム１００の燃費を向上させることができる。
【０１０９】
また、本実施形態によれば、実カソード流量下限値が、燃料電池システム１００の運転状態に応じて定まる最低カソード流量を下回らないようにカソードコンプレッサ３４を制御しつつ、必要に応じて内部抵抗を目標内部抵抗にするためにカソード圧及びスタック温度を制御することとした。
【０１１０】
これにより、電解質膜の湿潤状態を最適な状態に維持することができるので、燃料電池システム１００の発電効率を向上させることができる。
【０１１１】
また、本実施形態によれば、燃料電池スタック１の内部抵抗が所定値よりも大きく、カソード圧、スタック温度及び内部抵抗に基づいてカソード流量を推定したときの推定精度が低下するおそれがあるときは、カソードコンプレッサ３４の回転速度と前後差圧とに基づいてカソード流量を推定することとした。
【０１１２】
これにより、カソード流量の推定精度を維持することができるので、確実にカソード流量が最低カソード流量を下回らないようにすることができると共に、カソードコンプレッサ３４を低回転で運転させることができるので、燃料電池システム１００の燃費を向上させることができる。
【０１１３】
（第２実施形態）
次に、本発明の第２実施形態について説明する。本実施形態は、エアフローセンサ３５の検出精度が低い領域では、エアフローセンサ３５で検出したカソード流量ではなく、推定したカソード流量を用いてカソードコンプレッサ３４をフィードバック制御する。なお、以下の各実施形態では上述した第１実施形態と同様の機能を果たす部分には、同一の符号を用いて重複する説明を適宜省略する。
【０１１４】
前述したように、エアフローセンサ３５によるカソード流量の検出精度は、カソード流量が少なくなるほど低下する傾向にある。
【０１１５】
そこで本実施形態では、エアフローセンサ３５によるカソード流量の検出精度が低下する領域、すなわち、エアフローセンサ３５によって検出したカソード流量が所定量未満の領域では、推定したカソード流量を用いてカソードコンプレッサ３４をフィードバック制御する。
【０１１６】
具体的には、エアフローセンサ３５によって検出したカソード流量が所定量未満の領域では、推定したカソード流量と、燃料電池スタック１に供給するカソードガスの目標値（以下「目標カソード流量」という。）と、に基づいて、推定されるカソード流量が目標カソード流量となるようにカソードコンプレッサ３４をフィードバック制御する。一方で、エアフローセンサ３５によって検出したカソード流量が所定量以上の領域では、エアフローセンサ３５によって検出したカソード流量と目標カソード流量とに基づいて、検出されたカソード流量が目標カソード流量となるようにカソードコンプレッサ３４をフィードバック制御する。
【０１１７】
以下、図１３のフローチャートを参照して、この本実施形態によるカソードコンプレッサ３４の制御を説明する。
【０１１８】
図１３は、本実施形態によるカソードコンプレッサ３４の制御について説明するフローチャートである。
【０１１９】
ステップＳ２１において、コントローラ５は、燃料電池システム１００の運転状態に基づいて、目標カソード流量を算出する。目標カソード流量は、目標出力電力を満足しつつ、フラッディングも防止することができる流量である。
【０１２０】
ステップＳ２２において、コントローラ５は、カソード圧、スタック温度及び実内部抵抗に基づいて算出される実カソード流量下限値をカソード流量の推定値とする。
【０１２１】
ステップＳ２３において、コントローラ５は、エアフローセンサ３５によって検出したカソード流量が所定量未満か否かを判定する。コントローラ５は、エアフローセンサ３５によって検出したカソード流量が所定量未満であれば、ステップＳ２４の処理を行う。一方で、エアフローセンサ３５によって検出したカソード流量が所定量以上であれば、ステップＳ２５の処理を行う。
【０１２２】
ステップＳ２４において、コントローラ５は、カソード流量の推定値と目標カソード流量とに基づいて、カソード流量の推定値が目標カソード流量となるようにカソードコンプレッサ３４をフィードバック制御する。
【０１２３】
ステップＳ２５において、コントローラ５は、エアフローセンサ３５によって検出したカソード流量と目標カソード流量とに基づいて、検出されたカソード流量が目標カソード流量となるようにカソードコンプレッサ３４をフィードバック制御する。
【０１２４】
以上説明した本実施形態によれば、エアフローセンサ３５の検出精度が低い領域では、エアフローセンサ３５で検出したカソード流量ではなく、より精度の高い推定したカソード流量を用いてカソードコンプレッサ３４を目標カソード流量に向けてフィードバック制御する。
【０１２５】
これにより、エアフローセンサ３５の検出精度が低い領域において、安全のために目標カソード流量を必要以上に大きくしておく必要がないので、カソードコンプレッサ３４を低回転で運転させることができ、燃料電池システム１００の燃費を向上させることができる。
【０１２６】
以上、本発明の実施形態について説明したが、上記実施形態は本発明の適用例の一部を示したに過ぎず、本発明の技術的範囲を上記実施形態の具体的構成に限定する趣旨ではない。
【０１２７】
上記の第１実施形態では、実内部抵抗が相対的に小さいときにカソード圧、スタック温度及び実内部抵抗に基づいてカソード流量を推定すると、その推定精度が低下するおそれがあるため、その場合はカソードコンプレッサ３４の運転状態に応じてカソード流量を推定していた。
【０１２８】
しかしながら、実内部抵抗が小さいときほど、最低カソード流量が高くなるように補正して、実内部抵抗の大きさに関わらずカソード圧、スタック温度及び実内部抵抗に基づいてカソード流量を推定しても良い。このようにすることで、多少カソード流量の推定精度が悪化したとしても、実際のカソード流量が最低カソード流量を下回るのを抑制でき、結果として発電効率が悪化するのを防止できる。
【０１２９】
また、上記の第１実施形態では、大気湿度が０％であると仮定して、カソード圧、スタック温度及び実内部抵抗に基づいてカソード流量を推定していた。
【０１３０】
しかしながら、大気湿度を検出する湿度センサを備える場合には、その湿度センサの検出値に応じて、推定したカソード流量を補正しても良い。具体的には、大気湿度が高くなるほど、推定したカソード流量が大きくなるように補正すれば良い。これにより、より精度良くカソード流量を推定することができる。
【０１３１】
また上記の第１実施形態において、エアフローセンサ３５の検出精度が低い領域でのみ電解質膜の湿潤制御を実施しても良い。
【０１３２】
本願は、２０１２年１月１０日に日本国特許庁に出願された特願２０１２−２２７８号に基づく優先権を主張し、この出願の全ての内容は参照により本明細書に組み込まれる。
【図１】
2013105590.tif 000003
【図２】
2013105590.tif 000004
【図３】
2013105590.tif 000005
【図４】
2013105590.tif 000006
【図５】
2013105590.tif 000007
【図６】
2013105590.tif 000008
【図７】
2013105590.tif 000009
【図８】
2013105590.tif 000010
【図９】
2013105590.tif 000011
【図１０】
2013105590.tif 000012
【図１１】
2013105590.tif 000013
【図１２】
2013105590.tif 000014
【図１３】
2013105590.tif 000015
【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
アノードガス及びカソードガスを燃料電池に供給して発電させる燃料電池システムであって、
前記燃料電池にカソードガスを供給するカソードガス供給部と、
前記燃料電池に供給する前記カソードガスの圧力を検出するカソード圧検出部と、
前記燃料電池の温度を検出する燃料電池温度検出部と、
前記燃料電池の内部抵抗を検出する内部抵抗検出部と、
前記燃料電池システムの運転状態に基づいて、前記燃料電池に供給する必要のある目標カソード流量を算出する目標カソード流量算出部と、
前記カソードガスの圧力、前記燃料電池の温度及び前記燃料電池の内部抵抗に応じて、前記カソードガスの流量を推定するカソード流量推定部と、
前記目標カソード流量と前記推定した前記カソードガスの流量とに基づいて、前記カソードガス供給部を制御するカソード流量制御部と、
を備える燃料電池システム。
【請求項２】
前記カソード流量推定部は、
前記燃料電池の内部抵抗が高いときほど、前記カソードガスの流量の推定値を大きくする、
請求項１に記載の燃料電池システム。
【請求項３】
前記カソード流量推定部は、
前記カソードガスの圧力が高いときほど、前記カソードガスの流量の推定値を大きくする、
請求項１又は請求項２に記載の燃料電池システム。
【請求項４】
前記カソード流量推定部は、
前記燃料電池の温度が低いときほど、前記カソードガスの流量の推定値を大きくする、
請求項１から請求項３までのいずれか１つに記載の燃料電池システム。
【請求項５】
前記カソード流量推定部は、
大気湿度が前記燃料電池を使用する外部環境における最低値であると仮定して、前記カソードガスの流量を推定する、
請求項１から請求項４までのいずれか１つに記載の燃料電池システム。
【請求項６】
大気湿度を検出する大気湿度検出部を備え、
前記カソード流量推定部は、
前記カソードガスの圧力、前記燃料電池の温度及び前記燃料電池の内部抵抗に応じて推定したカソードガスの流量の推定値を、前記大気湿度が高いときほど大きくなるように補正する、
請求項１から請求項４までのいずれか１つに記載の燃料電池システム。
【請求項７】
前記燃料電池の内部抵抗を所定の目標内部抵抗に制御する内部抵抗制御部を備え、
前記内部抵抗制御部は、
推定した前記カソードガスの流量と前記目標カソード流量とが等しい場合に、前記燃料電池の内部抵抗が前記目標内部抵抗よりも高いときは、前記カソードガスの圧力を高くすることで、前記燃料電池の内部抵抗を所定の目標内部抵抗に制御する、
請求項１から請求項６までのいずれか１つに記載の燃料電池システム。
【請求項８】
前記燃料電池の内部抵抗を所定の目標内部抵抗に制御する内部抵抗制御部を備え、
前記内部抵抗制御部は、
推定した前記カソードガスの流量と前記目標カソード流量とが等しい場合に、前記燃料電池の内部抵抗が前記目標内部抵抗よりも高いときは、前記燃料電池の温度を低くすることで、前記燃料電池の内部抵抗を所定の目標内部抵抗に制御する、
請求項１から請求項６までのいずれか１つに記載の燃料電池システム。
【請求項９】
前記カソード流量推定部は、
前記燃料電池の内部抵抗が所定値よりも高いときに、前記カソードガスの圧力、前記燃料電池の温度及び前記燃料電池の内部抵抗に応じて、前記カソードガスの流量を推定し、
前記燃料電池の内部抵抗が前記所定値よりも低いときは、前記燃料電池にカソードガスを圧送するコンプレッサの回転速度と前後差圧とに基づいて、前記カソードガスの流量を推定する、
請求項１から請求項８までのいずれか１つに記載の燃料電池システム。
【請求項１０】
前記目標カソード流量算出部は、
前記燃料電池の内部抵抗が高いときほど、前記目標カソード流量が高くなるように補正する、
請求項１から請求項７までのいずれか１つに記載の燃料電池システム。
【請求項１１】
前記燃料電池に供給する前記カソードガスの流量を検出するカソード流量検出部を備え、
前記カソード流量制御部は、
前記カソードガスの流量が所定量より低いときに、前記目標カソード流量と前記推定した前記カソードガスの流量とに基づいて前記カソードガス供給部を制御する、
請求項１から請求項１０までのいずれか１つに記載の燃料電池システム。
【手続補正書】
【提出日】平成26年7月9日(2014.7.9)
【手続補正１】
【補正対象書類名】明細書
【補正対象項目名】００２１
【補正方法】変更
【補正の内容】
【００２１】
アノードガス排出通路２４は、燃料電池スタック１から排出されたアノードオフガスが流れる通路であって、一端が燃料電池スタック１のアノードガス出口孔１２に接続され、他端が開口端となっている。アノードオフガスは、電極反応で使用されなかった余剰のアノードガスと、カソード側からリークしてきた窒素などの不活性ガスと、の混合ガスである。
【手続補正２】
【補正対象書類名】明細書
【補正対象項目名】００３５
【補正方法】変更
【補正の内容】
【００３５】
第１圧力センサ３８は、カソードコンプレッサ３４よりも上流のカソードガス供給通路３１に設けられ、カソードガスの圧力を検出する。
【手続補正３】
【補正対象書類名】明細書
【補正対象項目名】００３８
【補正方法】変更
【補正の内容】
【００３８】
冷却水循環通路４１は、燃料電池スタック１を冷却するための冷却水が循環する通路である。
【手続補正４】
【補正対象書類名】明細書
【補正対象項目名】００７２
【補正方法】変更
【補正の内容】
【００７２】
そこでこのような場合には、実カソード流量下限値と最低カソード流量との差分量だけソード流量が減少するようにカソードコンプレッサ３４を制御した後、カソード圧及びスタック温度の一方又は双方を制御することで、内部抵抗を目標内部抵抗へと収束させる。具体的には、カソード圧を高くし、又はスタック温度を下げることで実線Ｂ１を一点鎖線Ｂ１’まで移動させ、内部抵抗を目標内部抵抗へと収束させる。一点鎖線Ｂ１’は、実線Ａ２との交点Ｃ４におけるカソード流量が最低カソード流量となる線である。
【手続補正５】
【補正対象書類名】明細書
【補正対象項目名】００８２
【補正方法】変更
【補正の内容】
【００８２】
図９に示すように、最低カソード流量が目標カソード流量下限値よりも大きいときは、最低カソード流量と、カソードコンプレッサ３４の回転速度と前後差圧とに基づいて推定したカソード流量の推定値（以下「カソード流量推定値」という。）と、の差分量だけカソード流量が増加するように、カソードコンプレッサ３４を制御する。その後、カソード圧を高くし、又はスタック温度を下げることで実線Ｂ１を一点鎖線Ｂ１’まで移動させ、内部抵抗を目標内部抵抗へと収束させる。
【手続補正６】
【補正対象書類名】明細書
【補正対象項目名】００８３
【補正方法】変更
【補正の内容】
【００８３】
一方、図１０に示すように、最低カソード流量が目標カソード流量下限値よりも小さいときは、最低カソード流量と、カソード流量推定値と、の差分量だけカソード流量が増加するようにカソードコンプレッサ３４を制御する。その後、カソード圧を低くし、又はスタック温度を上げることで実線Ｂ１を一点鎖線Ｂ１’まで移動させ、内部抵抗を目標内部抵抗へと収束させる。
【手続補正７】
【補正対象書類名】明細書
【補正対象項目名】００８９
【補正方法】変更
【補正の内容】
【００８９】
ステップＳ４において、コントローラ５は、燃料電池スタック１の実内部抵抗を検出する。具体的には、例えばＤＣ／ＤＣコンバータ（図示せず）などを制御して燃料電池スタック１の出力電流に交流電流を重畳し、そのときの燃料電池スタック１の電圧値を電圧センサによって検出する。そして、その電圧値に基づいて重畳した交流電流の電圧振幅を演算し、その電圧振幅を重畳した交流電流の電流振幅で割ることで燃料電池の内部抵抗を演算する。
【手続補正８】
【補正対象書類名】明細書
【補正対象項目名】０１００
【補正方法】変更
【補正の内容】
【０１００】
ステップＳ８６において、コントローラ５は、図８のマップを参照し、カソードコンプレッサ３４の回転速度と、カソードコンプレッサ３４の前後差圧と、に基づいてカソード流量推定値を算出する。
【手続補正９】
【補正対象書類名】明細書
【補正対象項目名】０１０１
【補正方法】変更
【補正の内容】
【０１０１】
ステップＳ８７において、コントローラ５は、最低カソード流量とカソード流量推定値との差分量だけカソード流量が増加するように、カソードコンプレッサ３４を制御する（図９及び図１０参照）。
【手続補正１０】
【補正対象書類名】明細書
【補正対象項目名】０１０３
【補正方法】変更
【補正の内容】
【０１０３】
ステップＳ８９において、コントローラ５は、内部抵抗が目標内部抵抗となるように、カソード圧及びスタック温度の一方又は双方を制御する。具体的には、カソード圧を制御する場合にはカソード圧を高くし、スタック温度を制御するときはスタック温度を低くする（図９参照）。
【手続補正１１】
【補正対象書類名】明細書
【補正対象項目名】０１０４
【補正方法】変更
【補正の内容】
【０１０４】
ステップＳ９０において、コントローラ５は、内部抵抗が目標内部抵抗となるように、カソード圧及びスタック温度の一方又は双方を制御する。具体的には、カソード圧を制御する場合にはカソード圧を低くし、スタック温度を制御するときはスタック温度を高くする（図１０参照）。
【手続補正１２】
【補正対象書類名】明細書
【補正対象項目名】０１１１
【補正方法】変更
【補正の内容】
【０１１１】
また、本実施形態によれば、燃料電池スタック１の内部抵抗が所定値よりも小さく、カソード圧、スタック温度及び内部抵抗に基づいてカソード流量を推定したときの推定精度が低下するおそれがあるときは、カソードコンプレッサ３４の回転速度と前後差圧とに基づいてカソード流量を推定することとした。
【手続補正１３】
【補正対象書類名】図面
【補正対象項目名】図１０
【補正方法】変更
【補正の内容】
【図１０】
2013105590.tif 000016
【国際調査報告】
2013105590.tif 000017
2013105590.tif 000018